(57)【特許請求の範囲】
【請求項１】
化粧料が充填された中皿と、この中皿を収容する中皿収容凹部および化粧に用いる用具を収容する化粧用具収容凹部を有する容器本体とを備えるレフィル容器であって、上記容器本体の上面の平面視中央部に、底部と側壁部とからなる中皿収容凹部が形成され、この中皿収容凹部の少なくとも左右両側に、内側側壁部と底部と外側側壁部とからなる化粧用具収容凹部が形成され、これら中皿収容凹部の側壁部上端と化粧用具収容凹部の内側側壁部の上端との間が、可撓性を有する衝撃吸収用の平板部で連結され、上記中皿収容凹部は、その底部が各化粧用具収容凹部の底部下面で構成される容器底面から容器の厚さ方向に離間した状態で支持されているとともに、上記中皿は、その外側側面に形成された被係合用凹部を、上記中皿収容凹部の側壁部に設けられた係合用凸部に係合させ、この中皿の底部が上記中皿収容凹部の底部から中皿の厚さ方向に離間した状態で、中皿収容凹部内に収容されていることを特徴とするレフィル容器。
【発明の詳細な説明】
【技術分野】
【０００１】
本発明は、化粧料が充填された中皿と、化粧に用いる用具等とを収容する化粧料用のレフィル容器に関するものである。
【背景技術】
【０００２】
ファンデーション，アイシャドウや口紅等の各種化粧料が充填された中皿（化粧皿）を収容して、運搬，販売等の利用に供される容器として、レフィル容器が用いられている（特許文献１を参照）。このレフィル容器は、図５に示すように、金属製の中皿（化粧皿）２２と、透明な合成樹脂製の容器本体２１と、容器本体２１の上面を覆う透明な合成樹脂製の蓋体２３等とからなる。
【０００３】
上記容器本体２１の上面（使用時の上側面）には、底部２０ｂと側壁部２０ａとからなる中皿収容凹部２０が形成されており、この凹部２０内に、化粧料（固形化粧料）３を充填した中皿２２が収容されている。なお、図中の符号２４は、中皿２２を中皿収容凹部２０の底部２０ｂ（底部２０ｂの上面）に仮固定するための接着剤層であり、符号２０ｃは、上記中皿２２を容器本体２１から取り外す際に、棒等を用いた押し上げに利用する貫通孔である。
【０００４】
上記のような化粧料用のレフィル容器においては、運搬時や使用時等に誤って落下させたり、携行中等に他物に当たったりした際に、その衝撃で内部の化粧料が割れたり、砕けたりする場合が多いことが知られている。そこで、それを防止するための提案が種々なされており、本出願人も、上記特許文献１において、化粧料の割れ等を防止できる化粧料容器を提案している。
【０００５】
この提案では、上記図５に示すように、化粧料容器（本発明おけるレフィル容器に相当）の容器本体２１の外側周壁２１ａの上端部と中皿収容凹部２０の側壁部２０ａの上端とを連結する、連結壁部２１ｂの一部を「薄肉部」（この例では、湾曲状の折り曲げ部分２１ｃを含む）とするとともに、この薄肉部で、内側の中皿収容凹部２０およびそこに収容される中皿２２を、容器の底面より離間させて（宙に浮かせて）支持することにより、容器外部から加わる衝撃等が中皿２２に直接伝達されるのを防止している。
【先行技術文献】
【特許文献】
【０００６】
【特許文献１】特開２００４−９７８０６号公報
【発明の概要】
【発明が解決しようとする課題】
【０００７】
ところで、上記レフィル容器等、比較的簡素なパッケージの化粧料用の容器は、本来、運搬や陳列用等に用いられるものであり、購入後に、その内部に収容された中皿（化粧皿）を取り出して、あるいは、このレフィル容器ごと、鏡や化粧用具等を備えるコンパクト容器（コンパクトケース）に各種中皿を詰め合わせて収納し、携行・使用されることを想定して設計されている。ところが、近年の利用形態では、上記中皿をコンパクト容器に詰め替えることはせず、レフィル容器を購入時の形態のまま使用し続ける場合が多いことが分かってきた。
【０００８】
しかしながら、従来のレフィル容器（特にパッケージの簡素なもの）は、携行時や使用時に発生する落下や衝突等に起因する大きな衝撃に、充分耐えられるようには設計されていない。ここに改善の余地がある。なお、レフィル容器は、運搬や陳列・販売等を考慮した場合、安価であることは勿論、製品（容器）重量の増加は最小限に留めなければならないという課題がある。また、環境等への配慮から、使用後に出るゴミや廃材の量も減量化する必要がある。
【０００９】
本発明は、このような事情に鑑みなされたもので、携行使用に耐えうる充分な耐衝撃性を備える、軽量かつ安価なレフィル容器の提供をその目的とする。
【課題を解決するための手段】
【００１０】
上記の目的を達成するため、本発明のレフィル容器は、化粧料が充填された中皿と、この中皿を収容する中皿収容凹部および化粧に用いる用具を収容する化粧用具収容凹部を有する容器本体とを備えるレフィル容器であって、上記容器本体の上面の平面視中央部に、底部と側壁部とからなる中皿収容凹部が形成され、この中皿収容凹部の少なくとも左右両側に、内側側壁部と底部と外側側壁部とからなる化粧用具収容凹部が形成され、これら中皿収容凹部の側壁部上端と化粧用具収容凹部の内側側壁部の上端との間が、可撓性を有する衝撃吸収用の平板部で連結され、上記中皿収容凹部は、その底部が各化粧用具収容凹部の底部下面で構成される容器底面から容器の厚さ方向に離間した状態で支持されているとともに、上記中皿は、その外側側面に形成された被係合用凹部を、上記中皿収容凹部の側壁部に設けられた係合用凸部に係合させ、この中皿の底部が上記中皿収容凹部の底部から中皿の厚さ方向に離間した状態で、中皿収容凹部内に収容されている構成をとる。
【００１１】
すなわち、本発明者らは、前記課題を解決する方策として、レフィル容器における緩衝構造を多重化することを検討した。しかしながら、衝撃吸収材等の別部材の使用や、製造工程を大幅に変更する改良では、レフィル容器のコストや重量が増加してしまう。そこで、発明者らは、樹脂成形体からなる容器本体の形状に工夫を凝らし、運搬時や使用中に最も荷重のかかり易い、容器上下方向の中皿底部と中皿収容凹部の底部とを、空気層（隙間）を挟んで両者とも宙に浮かせ、二重に懸架して保護することを着想した。また、落下時等に衝撃を受け易い左右方向（容器の水平方向）は、中皿収容凹部の周りの容器本体の側壁を左右方向に延設し、その延設部を、容器上面に向けて開口する凹状とすることにより、左右方向の衝撃を緩和する緩衝ゾーンとするとともに、この上向きの大きな凹部の利用方法を模索した結果、この凹部を、化粧用具を収容するスペースとして用いれば、レフィル容器の上面を、無駄なく有効に活用できることを見出し、本発明に到達した。
【発明の効果】
【００１２】
以上のように、本発明のレフィル容器では、中皿収容凹部が容器本体の上面の平面視中央部に形成されており、その左右両側（容器本体の端部側）に、この中皿収容凹部を挟み込むように化粧用具収容凹部が形成され、これらの間を連結する可撓性の平板部により、容器本体の中央の上記中皿収容凹部が、容器底面から容器の厚さ方向に離間した状態（すなわち、宙に浮いた状態）で支持されている。さらに、化粧料が充填された中皿は、その外側側面に形成された被係合用凹部を上記中皿収容凹部の側壁部に設けられた係合用凸部に係合させることにより、中皿の底部が上記中皿収容凹部の底部から中皿の厚さ方向に離間した状態（宙に浮いた状態）で、中皿収容凹部内に収容・保持されている。このため、容器本体の上下（天地）方向から衝撃や揺れ等を受けた場合、その振動と荷重は、上記のように二重に保護されている上記中皿に直接伝わらず、上記可撓性の平板部で吸収・緩和される。また、容器本体の左右方向（水平方向）から衝撃や揺れ等を受けた場合は、上記平板部と上記中皿収容凹部の外側に位置する化粧用具収容凹部（外側側壁部および内側側壁部）とが、その可撓性により外部からの振動および荷重を吸収・緩和する。さらに、容器本体の前後方向（手前−奥方向）から衝撃や揺れ等を受けた場合も、上記平板部と中皿収容凹部の側壁部とが、その可撓性により外部からの振動および荷重を吸収・緩和する。これにより、本発明のレフィル容器は、どの方向からの衝撃等に対しても、従来品に比べ耐衝撃性が向上し、携行時や使用時に発生する大きな衝撃等を受けた場合でも、中皿に収容した化粧料が破損することが防止される。
【００１３】
さらに、上記レフィル容器は、緩衝作用を備える別部材等を用いる必要がないため、軽量な一体型の容器本体を、樹脂を用いた射出成形等により、安価に作製することが可能である。しかも、上記中皿収容凹部の左右両側に設けた緩衝用の凹部を、上記のように化粧用具収容凹部として利用できるため、レフィル容器を購入時の形態のまま使用する単独利用時は勿論、中皿（化粧皿）のみを取り出してコンパクト容器に収納する場合や、このレフィル容器ごとコンパクト容器内に収納して利用する場合、あるいは、化粧料を使い尽くした後に破棄する場合でも、ゴミの分別等が簡単で、廃材等となる部分が少ないという利点がある。
【図面の簡単な説明】
【００１４】
【図１】（ａ）は第１実施形態におけるレフィル容器の構成を示す模式的断面図であり、（ｂ）は（ａ）のＰ部拡大図である。
【図２】第１実施形態におけるレフィル容器を分解した状態を示す平面図であり、（ａ）は蓋体、（ｂ）は容器本体、（ｃ）は中皿を示す。
【図３】第２実施形態におけるレフィル容器の容器本体の構成を示す平面図である。
【図４】第３実施形態におけるレフィル容器の容器本体の構成を示す平面図である。
【図５】従来のレフィル容器の構成を示す模式的断面図である。
【発明を実施するための形態】
【００１５】
つぎに、本発明の実施の形態を、図面にもとづいて詳しく説明する。ただし、本発明は、この実施の形態に限定されるものではない。
【００１６】
図１は、本発明の第１実施形態におけるレフィル容器の構成を示す断面図であり、（ａ）は容器全体の模式図、（ｂ）は（ａ）のＰ部拡大図である。また、図２は、上記レフィル容器を分解した状態を示す平面図であり、（ａ）は蓋体４、（ｂ）は容器本体１、（ｃ）は中皿２を上から見た図である。なお、上記図１（ａ）は、図２（ａ）〜（ｃ）のＸ−Ｘ線断面に相当する。
【００１７】
本実施形態におけるレフィル容器は、ファンデーション，アイシャドウや口紅等の各種化粧料３が充填された中皿（化粧皿）２を収容して、運搬，販売等の利用に供される容器であり、先に述べたような、コンパクト容器（図示省略）等に収納せず、購入時の形態のまま、単独でも使用できるようになっているタイプのものである。
【００１８】
このレフィル容器は、図２のように、化粧料３が充填された中皿２〔図２（ｃ）〕と、この中皿２を収容する容器本体１〔図２（ｂ）〕と、この容器本体１の上面を覆う蓋体４〔図２（ａ）〕とを組み合わせて構成されており、図１（ａ）の断面図に示すように、上記容器本体１の中皿収容凹部１１の左右両側に、それぞれ化粧用具収容凹部１２，１２が形成され、上記中皿収容凹部１１の側壁部１１ａの上端と化粧用具収容凹部１２の内側側壁部１２ａの上端との間が、可撓性を有する衝撃吸収用の平板部（連結部１３）で連結され、上記中皿収容凹部１１は、この連結部１３により、その底部１１ｂが容器本体１の底面から容器本体１の厚さ方向に離間した状態で支持されている。そして、上記中皿２は、図１（ｂ）のように、その側部２ａの外側側面に形成された周状の凹部２ｃを、上記中皿収容凹部１１の側壁部１１ａに複数設けられた凸部１１ｄに係合させ、この中皿２の中皿底部２ｂが上記中皿収容凹部１１の底部１１ｂから中皿２の厚さ方向に離間した状態で、中皿収容凹部１１内に収容・保持されている。これが、本発明のレフィル容器の特徴である。
【００１９】
上記レフィル容器について、より詳しく説明すると、レフィル容器の容器本体１は、例えばポリカーボネート等、比較的軽量でかつ剛性の高い樹脂材料を用いて、射出成形等の成形加工により形成されている。その形状は、図２（ｂ）の平面図に示すように、上面の中央部に、底部１１ｂと、この底部１１ｂを四方から囲う各側壁部１１ａとからなる中皿収容凹部１１が形成され、この中皿収容凹部１１の左右両側に、化粧用具収容凹部１２，１２が形成されている。中皿収容凹部１１の側壁部１１ａの一部には、可撓性を有する舌片１１ｃ，１１ｃが１個所に２つずつ、上部（根元側）から下部（先端側）にかけて二股状に分岐する形状に形成され、これら各舌片１１ｃの先端近傍に、後記する中皿（化粧皿）２を係合保持するための凸部１１ｄ（係合部）がそれぞれ形成されている〔図１（ｂ）参照〕。なお、この例では、上記凸部１１ｄ，１１ｄ（一対）が、中皿収容凹部１１全体で６個所に設けられている。
【００２０】
化粧用具収容凹部１２は、内側側壁部１２ａと底部１２ｂと外側側壁部１２ｃとから構成されており、図１（ｂ）のように、上記中皿収容凹部１１の側壁部１１ａの上端と、この化粧用具収容凹部１２の内側側壁部１２ａの上端との間が、薄肉の連結部１３で連結され、上記中皿収容凹部１１が、各化粧用具収容凹部１２の底部１２ｂ下面で構成される容器底面（容器本体１の最下面）から容器本体１の厚さ方向に離間した状態、すなわち空間Ｑを空けた状態で支持されている。また、上記中皿収容凹部１１の側壁部１１ａ−連結部１３−化粧用具収容凹部１２の内側側壁部１２ａの間には、下向きに略Ｕ字状（カップ状）の空間Ｓが形成されており、上記可撓性を有する連結部１３の上下方向への振動と、上記中皿２係合用の凸部１１ｄを含む側壁部１１ａ（中皿収容凹部１１）の左右方向への振動とを、吸収しやすいように構成されている。
【００２１】
なお、図２（ｂ）に示すように、上記連結部１３の他方側（図示右側）には、中皿収容凹部１１の側壁部１１ａおよび化粧用具収容凹部１２の内側側壁部１２ａの高さを抑え、これら中皿収容凹部１１と化粧用具収容凹部１２とが上部で連通するようにした、切り欠き状の低床連結部１４〔図１（ａ）も参照〕が設けられており、上記中皿収容凹部１１に収容されている中皿２を取り出しやすいように工夫されている。
【００２２】
また、図２（ｂ）のように、上記化粧用具収容凹部１２の外側側壁部１２ｃは、化粧用具収容凹部１２の他の側壁１２ｄとともに容器本体１の外周（本体側部１ａ）を形成しており、この本体側部１ａの左右両側面（図中の左右両端面）には、後記の蓋体４の前後方向へのスライドを案内する、リブ状の凸部（突条１ｂ，１ｂ）が設けられている。さらに、本体側部１ａの前後両側面（使用者にとっての手前−奥面であり、図中では上下両端面）には、図示しないコンパクト容器等との係合に用いられる溝状の凹部１ｃが形成されている場合もある。
【００２３】
レフィル容器の中皿２は、樹脂からなる浅皿状の化粧皿であり、図２（ｃ）のように、中皿底部２ｂと、この中皿底部２ｂの縁部から立設された周状の中皿側部２ａとから構成され、これらで形成された凹部に、固形化粧料３が充填されている。また、この中皿側部２ａの外側側面には、容器本体１の中皿収容凹部１１の側壁部１１ａの一部に設けられた前記凸部１１ｄと係合することのできる、周状の凹部２ｃ（被係合部）が形成されており、上記中皿収容凹部１１に収容された際に、上記凹部２ｃに凸部１１ｄが嵌り込むことにより、この中皿２は、中皿収容凹部１１の底部１１ｂ（底部１１ｂの上面）から中皿２の厚さ方向に離間した状態、すなわち空間Ｒを空けた状態で保持される〔図１（ｂ）参照〕。
【００２４】
レフィル容器の蓋体４は、上記容器本体１と同様、軽量でかつ衝撃に強いポリカーボネート等の樹脂で形成されており、図２（ａ）のように、平板状の蓋体天板４ａと、この蓋体天板４ａの下面を三方から囲う蓋体側部４ｂとを備える。上記蓋体側部４ｂの前側端部には、図１（ａ）のように、この蓋体側部４ｂから内側に向けて突出するとともに、前記容器本体１の左右両側面に設けられた突条１ｂの下面に摺接する突起４ｃ，４ｃが設けられており、これら突起４ｃ，４ｃを容器本体１の後方（奥側）から上記突条１ｂ，１ｂの下面に沿って嵌め入れることにより、上記蓋体４は、容器本体１に対して前後方向にスライド自在に配設される。そして、この蓋体４を、容器本体１の前端までスライドさせることによって、この容器本体１の上面がカバーされる。なお、レフィル容器の蓋体４の形状や開閉構造は、商品により異なる場合がある。
【００２５】
上記のようなレフィル容器によれば、容器本体１の上面の平面視中央部の中皿収容凹部１１の左右両側に設けられた凹部（１２）を、化粧用具を収納する化粧用具収容凹部１２として利用することにより、利便性が向上する。また、上記中皿収容凹部１１が、容器本体１の底面から離間した状態で支持され、さらに、化粧料３が充填された中皿２も、その底部２ｂが上記中皿収容凹部１１の底部１１ｂから離間した状態で保持されている。このため、本実施形態のレフィル容器は、容器本体１の上下（天地）方向から衝撃や揺れ等を受けた場合、その振動と荷重は中皿２に直接伝わらず、上記連結部１３（可撓性の平板部）で吸収・緩和される。また、容器本体１の左右方向（水平方向）から衝撃や揺れ等を受けた場合は、上記連結部１３と中皿収容凹部１１の外側に位置する化粧用具収容凹部１２との間で、外部からの振動および荷重が吸収・緩和される。さらに、容器本体１の前後方向（手前−奥方向）から衝撃や揺れ等を受けた場合も、上記連結部１３と中皿収容凹部１１の側壁部１１ａとの間で、外部からの振動および荷重が吸収・緩和される。したがって、本実施形態におけるレフィル容器は、どの方向からの衝撃等に対しても、従来品に比べ耐衝撃性が向上し、携行時や使用時に発生する大きな衝撃等を受けた場合でも、中皿２に収容した化粧料３が破損することを防止することができる。
【００２６】
つぎに、レフィル容器の容器本体１の中皿収容凹部１１の周囲に、より多くの化粧用具収容凹部１２を形成した例について説明する。図３は、本発明の第２実施形態におけるレフィル容器の容器本体５の構成を示す平面図であり、図４は、本発明の第３実施形態におけるレフィル容器の容器本体６の構成を示す平面図である。なお、これらの図においては、中皿（２）および蓋体（４）の図示を省略している。また、上記第１実施形態と同様の機能を有する部位には同じ符号〔図示がない場合は（  ）付き〕を付記して、その詳細な説明を省略する。
【００２７】
図３に示す第２実施形態のレフィル容器の容器本体５も、ポリカーボネート等、比較的軽量でかつ剛性の高い樹脂材料を用いて、射出成形等の成形加工により形成されている。この第２実施形態の容器本体５が、上記第１実施形態の容器本体（１）と異なる点は、上面の中央部に設けられた中皿収容凹部１１の左右および前後に、合計４つの化粧用具収容凹部１２が形成されている点である。
【００２８】
各化粧用具収容凹部１２は、第１実施形態と同様、内側側壁部１２ａと底部１２ｂと外側側壁部１２ｃとから構成されており、中皿収容凹部１１の側壁部１１ａの上端と、これら化粧用具収容凹部１２の内側側壁部１２ａの上端との間が、それぞれ、薄肉の連結部１３で連結されている。そして、上記中皿収容凹部１１が、各化粧用具収容凹部１２の底部１２ｂ下面で構成される容器底面（容器本体５の最下面）から容器本体５の厚さ方向に離間した状態、すなわち宙に浮いた状態で支持され、この中皿収容凹部１１の四方に、中皿収容凹部１１の側壁部１１ａ−連結部１３−化粧用具収容凹部１２の内側側壁部１２ａからなる、下向きに略Ｕ字状（カップ状）の空間が形成されている〔図１（ｂ）の符号Ｓ参照〕。
【００２９】
上記容器本体５を備える第２実施形態のレフィル容器によれば、第１実施形態と同様、上記中皿収容凹部１１が、容器本体５の底面から離間した状態で支持され、さらに、化粧料（３）が充填された中皿（２）も、この中皿収容凹部１１の底部１１ｂから離間した状態で収容・保持される。このため、本実施形態のレフィル容器は、容器本体５の上下（天地）方向から衝撃や揺れ等を受けた場合、その振動と荷重は中皿（２）に直接伝わらず、上記各連結部１３で吸収・緩和される。
【００３０】
また、中皿収容凹部１１の水平方向の四方（左右方向および前後方向）に化粧用具収容凹部１２を備えることから、容器本体５の左右方向および前後方向（手前−奥方向）から衝撃や揺れ等を受けた場合でも、上記連結部１３と中皿収容凹部１１の側壁部１１ａとの間で、外部からの振動および荷重が吸収・緩和される。したがって、本実施形態におけるレフィル容器は、どの方向から衝撃等を受けた場合でも、中皿（２）に収容した化粧料（３）の破損を防止することができる。
【００３１】
また、図４に示す第３実施形態のレフィル容器の容器本体６は、円形の中皿（化粧皿）に対応するものであって、第１，第２実施形態と同様、ポリカーボネート等の比較的軽量でかつ剛性の高い樹脂材料を用いて射出成形等の成形加工により形成されており、上面の中央部に設けられた円形の中皿収容凹部１１の周囲（前後左右）に、合計４つの化粧用具収容凹部１２が形成されている。そして、中央の中皿収容凹部１１の側壁部１１ａ上端と、各化粧用具収容凹部１２の内側側壁部１２ａの上端との間が、それぞれ、薄肉の連結部１３で連結され、上記中皿収容凹部１１が、各化粧用具収容凹部１２の底部１２ｂ下面で構成される容器底面（容器本体６の最下面）から容器本体６の厚さ方向に離間した状態で支持されている点も同様である。なお、この中皿収容凹部１１の周囲には、中皿収容凹部１１の側壁部１１ａ−連結部１３−化粧用具収容凹部１２の内側側壁部１２ａからなる、下向きに略Ｕ字状（カップ状）の空間が、上記中皿収容凹部１１の外形に沿った円環状に形成されている〔図１（ｂ）の符号Ｓ参照〕。
【００３２】
上記容器本体６を備える第３実施形態のレフィル容器によっても、第１，第２実施形態と同様、上記中皿収容凹部１１が、容器本体５の底面から離間した状態で支持され、さらに、化粧料（３）が充填された中皿（２）も、この中皿収容凹部１１の底部１１ｂから離間した状態で支持される。また、中皿収容凹部１１の周囲（左右方向および前後方向）に化粧用具収容凹部１２を備えることから、容器本体６の上下および水平方向のどの方向から衝撃や揺れ等を受けた場合でも、上記連結部１３と中皿収容凹部１１の側壁部１１ａとの間で、外部からの振動および荷重が吸収・緩和される。したがって、本実施形態におけるレフィル容器も、どの方向から衝撃等を受けた場合でも、中皿（２）に収容した化粧料（３）の破損を防止することが可能である。
【００３３】
なお、上記各実施形態においては、レフィル容器を構成する容器本体１，５，６および蓋体４，中皿２を、ポリカーボネート樹脂を用いて形成した例を示したが、その他にも、ポリエチレンテレフタレート樹脂（ＰＥＴ）や、アクリロニトリル−スチレン共重合樹脂（ＡＳ），アクリロニトリル−ブタジエン−スチレン共重合樹脂（ＡＢＳ）等を用いることができる。
【００３４】
また、レフィル容器の容器本体（１，５，６）において、中央の中皿収容凹部１１を囲う化粧用具収容凹部１２は、少なくとも上記中皿収容凹部１１を両側から支持できるように、この中皿収容凹部１１の周囲に２つ以上形成されていればよく、これら中皿収容凹部１１の側壁部１１ａの上端と化粧用具収容凹部１２の内側側壁部１２ａの上端との間を繋ぐ連結部１３は、衝撃および振動吸収性の観点から、厚さ０．３〜１．０ｍｍの薄肉状とするのが好ましい。
【００３５】
さらに、レフィル容器の蓋体４は、上記実施形態のように容器本体（１，５，６）と別体に形成してもよいし、従来例（図５）のように、ヒンジ等を介して容器本体に開閉自在にに装着する構成としてもよい。なお、上記蓋体４は、中身の化粧料３の色等を見えやすくするため、透明な樹脂で形成することが望ましい。
【産業上の利用可能性】
【００３６】
本発明のレフィル容器は、各種化粧料が充填された中皿を収容して運搬，販売等の利用に供されるレフィル容器としての使用は勿論、化粧用具収容凹部に化粧用具を収容して携行し、購入時の形態のままレフィル容器として使用することもできる。
【符号の説明】
【００３７】
１  容器本体
２  中皿
２ｃ  凹部
３  化粧料
１１  中皿収容凹部
１１ａ  側壁部
１１ｄ  凸部
１２  化粧用具収容凹部
１３  連結部
【図１】
0005839860.tif 000002
【図２】
0005839860.tif 000003
【図３】
0005839860.tif 000004
【図４】
0005839860.tif 000005
【図５】
0005839860.tif 000006